(57)【要約】      （修正有）【課題】安価に製作可能で、しかも基礎コンクリート内に空隙が形成されることによる基礎の強度低下を防止可能なアンカーボルト支持装置を提供する。【解決手段】基礎地盤上に設置したベース部材１１と、ベース部材１１に立設固定した４本の支持脚１２と、アンカーボルト１３を各支持脚１２の上側に高さ調整可能に同軸状に連結する連結部材１４と、アンカーボルト１３の下端部と連結部材１４間に介装した定着板１５と、複数のアンカーボルト１３の上端部を連結するテンプレート１６と、テンプレート１６の各辺の途中部に設けたアンカーボルト１７と、アンカーボルト１７の下端部に固定した定着板１８とを備え、連結部材１４は、間隔をあけて平行配置した上部片１４ａ及び下部片１４ｂと、上部片１４ａ及び下部片１４ｂの一側部同士を連結する連結部１４ｃを有し、上部片１４ａ及び下部片１４ｂに貫通孔を形成したコ字状の部材からなる。【選択図】図１
0003181570.tif 000002
【実用新案登録請求の範囲】
【請求項１】
基礎地盤上に設置したベース部材と、ベース部材に立設固定した複数本の支持脚と、アンカーボルトを各支持脚の上側に高さ調整可能に同軸状に連結する連結部材と、複数のアンカーボルトの上端部を連結するテンプレートとを備え、構造物の基礎の施工位置にアンカーボルトを設置するためのアンカーボルト固定装置であって、
前記連結部材は、間隔をあけて平行配置した上部片及び下部片と、上部片及び下部片の一側部同士を連結する連結部とを有し、上部片及び下部片に貫通孔をそれぞれ形成したコ字状の部材からなり、
前記アンカーボルトは、その下端部が連結部材の上部片の貫通孔に挿通されて、前記上部片を挟んでその上下両側に締結したナット部材を介して、前記前記連結部材の上部片に固定され、
前記支持脚は、その上端部が連結部材の下部片の貫通孔に挿通されて、前記下部片を挟んでその上下両側に締結したナット部材を介して、前記連結部材の下部片に固定される、
ことを特徴とするアンカーボルト固定装置。
【請求項２】
前記連結部材の上部片と下部片とに形成される貫通孔の少なくとも一方を、側端を開放した切欠状の長穴で構成した請求項１記載のアンカーボルト固定装置。
【請求項３】
複数の連結部材にわたって、その上側に水平配置される補助プレートを設け、該補助プレートを上部片とともに、前記上部片を挟んでその上下両側に締結したナット部材を介して、前記アンカーボルトに固定した請求項１又は２記載のアンカーボルト固定装置。
【考案の詳細な説明】
【技術分野】
【０００１】
本考案は、露出形式柱脚に好適に利用可能なアンカーボルト支持装置に関する。
【背景技術】
【０００２】
露出形式柱脚で用いられるアンカーボルト支持装置として、基礎地盤上に設置した方形枠状のベース部材と、ベース部材に立設固定した複数本の支持脚と、アンカーボルトを各支持脚の上側に高さ調整可能に同軸状に連結する連結部材と、複数のアンカーボルトの上端部を連結する方形枠状のテンプレートとを備えたものが広く採用されている（例えば、特許文献１、２参照。）。
【０００３】
そして、このアンカーボルト支持装置を用いて建築物を施工する際には、先ずアンカーボルト支持装置を基礎地盤上に設置して、アンカーボルト支持装置にアンカーボルト及びテンプレートを組付けるとともに、基礎の施工位置に必要な配筋を施工し、次に型枠を設置した状態で、アンカーボルトの上端部とテンプレートとが基礎コンクリート上に配置されるように、基礎コンクリートを打設して、ベース部材と支持脚とアンカーボルトと連結部材とを基礎コンクリートに埋設施工する。こうして基礎を施工した後、建築物の柱を施工する際には、テンプレートを取り外して、柱の下端部に固定したベース板にアンカーボルトの上端部が挿通するように柱を基礎に立設させ、アンカーボルトにナット部材を締結することで、基礎コンクリート上に柱を立設施工することになる。
【０００４】
また、このアンカーボルト支持装置で用いる連結部材としては、特許文献１記載のように、金属管からなる円筒状の筒状部材と、筒状部材の上下両端部に固着したナット部材とを備え、支持脚の上端部を下側のナット部材に高さ調整可能に螺合し、アンカーボルトの下端部を上側のナット部材に締結するように構成したものや、特許文献２記載のように、間隔をあけて配置した平行な上下１対の水平部と、上下の水平部の一側部同士を連結する鉛直部とを有するコ字状の連結金具と、連結金具の下側の水平部の下面に固着した筒状部材やアングル材からなる固定金具とを備え、連結金具の上側の水平部にアンカーボルトをナット部材で固定し、支持脚の上端部を固定金具に対して高さ調整可能に固定するように構成したものが提案されている。
【先行技術文献】
【特許文献】
【０００５】
【特許文献１】実用新案登録第３１３１４４７号公報
【特許文献２】特許第５０１１３６３号公報
【考案の概要】
【考案が解決しようとする課題】
【０００６】
特許文献１記載の連結部材では、筒状部材の両端部にナット部材を溶接固定する必要があり、また特許文献２記載の連結部材においても、連結金具に筒状部材やアングル材を溶接固定する必要があり、どちらの特許文献に記載の連結部材においても、連結部材の製作コストが高くなるという問題があった。しかも、連結部材に筒状部材を備えさせる場合には、筒状部材内に基礎コンクリートが充填されず、その分強度が低下するという問題もある。
【０００７】
本考案の目的は、安価に製作可能で、しかも基礎コンクリート内に空隙が形成されることによる基礎の強度低下を防止可能なアンカーボルト支持装置を提供することである。
【課題を解決するための手段】
【０００８】
本考案に係るアンカーボルト支持装置は、基礎地盤上に設置したベース部材と、ベース部材に立設固定した複数本の支持脚と、アンカーボルトを各支持脚の上側に高さ調整可能に同軸状に連結する連結部材と、複数のアンカーボルトの上端部を連結するテンプレートとを備え、構造物の基礎の施工位置にアンカーボルトを設置するためのアンカーボルト固定装置であって、前記連結部材は、間隔をあけて平行配置した上部片及び下部片と、上部片及び下部片の一側部同士を連結する連結部とを有し、上部片及び下部片に貫通孔をそれぞれ形成したコ字状の部材からなり、前記アンカーボルトは、その下端部が連結部材の上部片の貫通孔に挿通されて、前記上部片を挟んでその上下両側に締結したナット部材を介して、前記前記連結部材の上部片に固定され、前記支持脚は、その上端部が連結部材の下部片の貫通孔に挿通されて、前記下部片を挟んでその上下両側に締結したナット部材を介して、前記連結部材の下部片に固定されるものである。
【０００９】
このアンカーボルト支持装置では、連結部材として、金属板をプレス加工することで容易に製作可能な、上部片と下部片と連結部とを有するコ字状の連結部材を採用し、特許文献２記載のように、別部材を連結部材に溶接等で設けていないので、連結部材の製作コストを大幅に安くできる。また、下部片の上下両側に配置されるナット部材の支持脚に対する高さ位置を調整したり、上部片の上下両側に配置されるナット部材のアンカーボルトに対する高さ位置を調整したりすることで、アンカーボルトの高さ位置を容易に調整することができる。しかも、基礎コンクリートの打設時には、アンカーボルト支持装置に対して空隙なくコンクリートが充填されるので、空隙が形成されることによる基礎構造の強度低下も防止できる。更に、支持脚を中心に連結部材を回転させて、連結部の位置を変更することで、配筋に干渉しないように連結部材を施工することができる。
【００１０】
ここで、前記連結部材の上部片と下部片とに形成される貫通孔の少なくとも一方を、側端を開放した切欠状の長穴で構成することが好ましい。この場合には、例えば下部片の貫通孔を切欠状の長穴で構成し、支持脚に対して１対のナット部材を螺合して、その高さを調整した状態で、連結部材の下部片の上下両側にナット部材が配置されるように、支持脚を下部片の貫通孔に対して側方より挿入し、ナット部材を締結することで、支持脚に対して連結部材を高さ調整した状態に組み付けることができるので、連結部材及びそれに連結されるアンカーボルトの高さ調整作業を効率的に行うことが可能となる。また、上部片の貫通孔を切欠状の長穴で構成した場合には、連結部材に対するアンカーボルトの高さ位置を効率的に調整することが可能となる。
【００１１】
複数の連結部材にわたって、その上側に水平配置される補助プレートを設け、該補助プレートを上部片とともに、前記上部片を挟んでその上下両側に締結したナット部材を介して、前記アンカーボルトに固定することもできる。補助プレートは必須の構成ではないが、設けることで露出形式柱脚の強度剛性を向上できるので好ましい。
【考案の効果】
【００１２】
本考案に係るアンカーボルト支持装置によれば、連結部材として、金属板をプレス加工することで容易に製作可能な、上部片と下部片と連結部とを有するコ字状の連結部材を採用し、特許文献２記載のように、別部材を連結部材に溶接等で設けていないので、連結部材の製作コストを大幅に安くできる。また、下部片の上下両側に配置されるナット部材の支持脚に対する高さ位置を調整したり、上部片の上下両側に配置されるナット部材のアンカーボルトに対する高さ位置を調整したりすることで、アンカーボルトの高さ位置を容易に調整することができる。しかも、基礎コンクリートの打設時には、アンカーボルト支持装置に対して空隙なくコンクリートが充填されるので、空隙が形成されることによる基礎構造の強度低下も防止できる。更に、支持脚を中心に連結部材を回転させて、連結部の位置を変更することで、配筋に干渉しないように連結部材を施工することができる。
【図面の簡単な説明】
【００１３】
【図１】アンカーボルト支持装置の斜視図
【図２】アンカーボルト支持装置の正面図
【図３】図１のIII-III線断面図
【図４】連結部材の斜視図
【図５】他の構成の連結部材の斜視図
【考案を実施するための形態】
【００１４】
以下、本考案の実施の形態について図面を参照しながら説明する。
図１〜図３に示すように、アンカーボルト支持装置１０は、構造物の基礎の施工位置にアンカーボルト１３、１７を設置するためのもので、基礎地盤１上に設置したベース部材１１と、ベース部材１１に立設固定した４本の支持脚１２と、アンカーボルト１３を各支持脚１２の上側に高さ調整可能に同軸状に連結する連結部材１４と、アンカーボルト１３の下端部と連結部材１４間に介装した定着板１５と、複数のアンカーボルト１３の上端部を連結するテンプレート１６と、テンプレート１６の各辺の途中部に設けたアンカーボルト１７と、アンカーボルト１７の下端部に固定した定着板１８とを備えている。
【００１５】
ベース部材１１は、金属製の４本のアングル材２０を方形枠状に溶接接合したもので、各アングル材２０の一方の側板部を略水平に外方へ突出するように配置し、各アングル材２０の他方の側板部を方形枠の内側縁から上方へ突出するように配置したもので、捨てコンクリートを打設してなる基礎地盤１上に固定ボルト２で固定されている。ベース部材１１の開口部の４つの角部の上端部には支持板２１が溶接固定され、各支持板２１の中央部にはネジ孔２１ａが形成されている。
【００１６】
支持脚１２は、上下両端部にネジ部１２ａ、１２ｂを形成した金属シャフトで構成され、下側のネジ部１２ｂに２個のナット部材２２を取り付けた状態で、該下側のネジ部１２ｂを支持板２１のネジ孔２１ａに螺合させ、その後２個のナット部材２２を支持板２１側に締結することで、ネジ部２１ａ及び２個のナット部材２２を介してベース部材１１に立設固定されている。
【００１７】
連結部材１４は、図１〜図４に示すように、間隔をあけて平行配置した上部片１４ａ及び下部片１４ｂと、上部片１４ａ及び下部片１４ｂの一側部同士を連結する連結部１４ｃとを有するコ字状の部材で構成され、金属板をプレス加工することで製作され、上部片１４ａの中央部には貫通孔２３が形成され、下部片１４ｂの中央部には貫通孔２４が形成されている。
【００１８】
連結部材１４は、支持脚１２の上側のネジ部１２ａにナット部材２５を取り付けた状態で、該ネジ部１２ａを連結部材１４の下部片１４ｂの貫通孔２４に挿通し、その後別のナット部材２６を上側のネジ部１２ａに取り付けて、上下のナット部材２５、２６間に下部片１４ｂを挟持することで、上下のナット部材２５、２６を介して支持脚１２に固定され、上下のナット部材２５、２６の取付位置を調整することで、高さ調整できるように支持脚１２に取り付けられている。
【００１９】
定着板１５、１８は、上部片１４ａよりも大きな面積を有する金属板で構成され、定着板１５、１８の中央部には貫通孔２７が形成されている。
【００２０】
アンカーボルト１３は、上下両端部にネジ部１３ａ、１３ｂを形成した金属シャフトで構成され、アンカーボルト１３の下側のネジ部１３ｂにナット部材２８を取り付けた状態で、該ネジ部１３ｂを定着板１５の貫通孔２７及び連結部材１４の上部片１４ａの貫通孔２３に挿通させ、その後別のナット部材２９を下側のネジ部１３ｂに取り付けて、定着板１５と上部片１４ａとを上下のナット部材２８、２９間に挟持することで、連結部材１４を介して支持脚１２に直列状に連結されている。
【００２１】
テンプレート１６は、方形枠状の平坦な金属板で構成され、テンプレート１６の４つの角部と、４辺の中間部には貫通孔３０がそれぞれ形成されている。このテンプレート１６は、基礎コンクリートの打設時に、支持脚１２及びアンカーボルト１３の姿勢を安定化させるとともに、アンカーボルト１７を支持するためのもので、基礎の施工後、基礎に対して建築物の柱を施工するときには取り外すことになる。
【００２２】
テンプレート１６は、アンカーボルト１３の上側のネジ部１３ａにナット部材３１を取り付けた状態で、該ネジ部１３ａをテンプレート１６の４つの角部の貫通孔３０に挿通して、該ネジ部１３ａに別のナット部材３２を取り付けて、テンプレート１６を上下のナット部材３１、３２で挟持することで、４本のアンカーボルト１３の上端部を連結するように取付けられている。
【００２３】
アンカーボルト１７は、アンカーボルト１３と同様に、上下両端部にネジ部１７ａ、１７ｂを形成した金属シャフトで構成され、アンカーボルト１７の上側のネジ部１７ａにナット部材３３を取り付けた状態で、該ネジ部１７ａをテンプレート１６の４つの辺の中間部に形成した貫通孔３０に下側から挿通させて、該ネジ部１７ａに別のナット部材３４を取り付けて、テンプレート１６を上下のナット部材３３、３４で挟持することで、テンプレート１６に支持されている。また、該アンカーボルト１７の下側のネジ部１７ｂには、ナット部材３５を取り付けた状態で、該ネジ部１７ｂを定着板１８の貫通孔２７に下側から挿通させて、該ネジ部１７ｂに別のナット部材３６を取り付けることで、連結部材１４上に配置した定着板１５と同じ高さ位置に定着板１８が支持されるように構成されている。
【００２４】
このアンカーボルト支持装置１０を施工する際には、先ず捨てコンクリートを打設して基礎地盤１を形成した後、該基礎地盤１上にアンカーボルト支持装置１０を設置して、アンカーボルト支持装置１０に対してアンカーボルト１３、１７と定着板１５、１７とテンプレート１６とを組付け、支持脚１２の上側のネジ部１２ａに取り付けられる上下のナット部材２５、２６の高さ位置を調整したり、アンカーボルト１３の下側のネジ部１３ｂに取り付けられる上下のナット部材２８、２９の高さ位置を調整したりすることで、アンカーボルト１３、１７とテンプレート１６の高さ位置を適正に調整する。次に、基礎の施工位置に対して必要な配筋を施工することになるが、この時連結部材１４が配筋に干渉する場合には、支持脚１２を中心に連結部材１４を回転させて、連結部１４ｃの位置を変更し、連結部材１４と干渉しないように配筋を施工することになる。こうして必要な配筋を施工した後、型枠を施工して、アンカーボルト１３の上端部とテンプレート１６とが基礎コンクリート上に配置されるように、型枠内に基礎コンクリートを打設して、ベース部材１１と支持脚１２とアンカーボルト１３と連結部材１４とを基礎コンクリートに埋設施工する。こうして基礎を施工した後、柱を施工する際には、テンプレート１６を取り外して、柱の下端部に固定したベース板にアンカーボルト１３、１７の上端部が挿通するように柱を基礎に立設させ、アンカーボルト１３にナット部材３１、３２を締結するとともに、アンカーボルト１７にナット部材３３、３４を締結することで、基礎コンクリート上に柱を立設施工することになる。
【００２５】
このように、このアンカーボルト支持装置１０では、連結部材１４として、金属板をプレス加工することで容易に製作可能な、上部片１４ａと下部片１４ｂと連結部１４ｃとを有するコ字状のものを採用しているので、連結部材１４の製作コストを大幅に安くできる。また、下部片１４ｂの上下両側に配置されるナット部材２５、２６の支持脚１２に対する高さ位置を調整したり、上部片１４ａの上下両側に配置されるナット部材２８、２９のアンカーボルト１３に対する高さ位置を調整したりすることで、アンカーボルト１３の高さ位置を容易に調整することができる。しかも、基礎コンクリートの打設時には、アンカーボルト支持装置１０に対して空隙なくコンクリートを充填できるので、空隙が形成されることによる基礎構造の強度低下も防止できる。更に、支持脚１２を中心に連結部材１４を回転させて、連結部１４ｃの位置を変更することで、配筋に干渉しないように連結部材１４を施工することができる。
【００２６】
なお、アンカーボルト１３、１７や支持脚１２の直径や長さ、ベース部材１１や連結部材１４の板厚や大きさなどは、建築物の基礎の要求強度などに応じて適宜に設定することができる。
【００２７】
また、本実施の形態では、連結部材１４の上部片１４ａ及び下部片１４ｂに丸孔状の貫通孔２３、２４を形成したが、該貫通孔２３、２４に代えて、図５に示す連結部材１４Ａのように、上部片１４ａ及び下部片１４ｂに、一側を開口させた長穴状の貫通孔２３Ａ、２４Ａを設けることも好ましい。この場合には、支持脚１２の上側のネジ部１２ａに取り付ける１対のナット部材２５、２６や、アンカーボルト１３の下側のネジ部１３ｂに取り付ける１対のナット部材２８、２９の高さ位置を予め調整した状態で、ナット部材２５、２６間に側方より下部片１４ｂを挿入したり、ナット部材２８、２９間に側方より上部片１４ａを挿入したりして、連結部材１４を取り付けることができるので、アンカーボルト１３の高さ位置の調整が容易になるので好ましい。
【００２８】
更に、本実施の形態では、アンカーボルト１３、１７の下端部に個別に定着板１５、１８を固定したが、定着板１５、１８に代えて枠状の補助フレームを設け、該補助フレームの４つの角部にアンカーボルト１３の下端部を固定するとともに、該補助フレームの４つの辺の中央部にアンカーボルト１７の下端部を固定するように構成することも可能である。
【００２９】
以上、本考案の実施形態について説明したが、本考案は前述した実施形態に何ら限定されるものではなく、本考案の要旨を逸脱しない範囲においてその構成を変更し得ることは勿論である。
【符号の説明】
【００３０】
１      基礎地盤                  ２      固定ボルト
１０    アンカーボルト支持装置    １１    ベース部材
１２    支持脚                    １２ａ  ネジ部
１２ｂ  ネジ部
１３    アンカーボルト            １３ａ  ネジ部
１３ｂ  ネジ部
１４    連結部材                  １４ａ  上部片
１４ｂ  下部片                    １４ｃ  連結部
１５    定着板                    １６    テンプレート
１７    アンカーボルト            １７ａ  ネジ部
１７ｂ  ネジ部
１８    定着板
２０    アングル材                ２１    支持板
２１ａ  ネジ孔                    ２１ａ  ネジ部
２２    ナット部材                ２３    貫通孔
２４    貫通孔                    ２５    ナット部材
２６    ナット部材                ２７    貫通孔
２８    ナット部材                ２９    ナット部材
３０    貫通孔                    ３１    ナット部材
３２    ナット部材                ３３    ナット部材
３４    ナット部材                ３５    ナット部材
３６    ナット部材
１４Ａ  連結部材                  ２３Ａ  貫通孔
２４Ａ  貫通孔
【図１】
0003181570.tif 000003
【図２】
0003181570.tif 000004
【図３】
0003181570.tif 000005
【図４】
0003181570.tif 000006
【図５】
0003181570.tif 000007